【事件の表示】
　平成１１年特許願第１１５４７３号「座標入力／検出装置および電子黒板システム」拒絶査定不服審判事件〔平成１２年　４月１１日出願公開、特開２０００−１０５６７１〕について、次のとおり審決する。
【結　論】
　本件審判の請求は、成り立たない。
【理　由】
１．手続きの経緯
　本願は、平成１１年４月２２日（優先権主張平成１０年５月１１日、平成１０年７月３１日）の出願であって、平成１９年１２月６日付けで拒絶査定がなされたところ、これに対して平成２０年１月１０日に拒絶査定に対する審判請求がなされ、同年２月６日に手続補正書が提出されたものである。
　
２．補正却下の決定
　平成２０年２月６日に提出された手続補正書による補正の却下の決定
　
（１）［補正却下の決定の結論］
　平成２０年２月６日に提出された手続補正書による補正（以下、「本件補正」という。）を却下する。
　
（２）［補正却下の決定の理由］
（ａ）補正の内容
　本件補正によると、その特許請求の範囲の請求項１は、
「所定の範囲の入力領域を進行する光を出射する少なくとも二つの光出射手段と、
　前記入力領域の周縁部における所定の位置に設けられ、各光出射手段から出射された光を反射する反射手段と、
　前記反射手段で反射された光を受光し、受光した光の強度分布を検出する少なくとも二つの強度分布検出手段と、
　各強度分布検出手段で検出された強度分布を利用して、前記入力領域を進行する光を遮る遮光位置の座標を特定する座標特定手段と、を備え、
　前記光出射手段は、
　光源からの光を予め定められた第１方向にコリメートする第１レンズと、
　コリメートされた光を前記第１方向と直交する第２方向に集光することによって、光源からの光を扇形状に成形して出射する第２レンズと、を備えたこと、
を特徴とする座標入力／検出装置。」
と補正されている。　
　
　上記補正は、補正前の請求項１に記載した発明を特定するために必要な事項である「前記光出射手段は、光源からの光を扇形状に成形して出射すること」を、「前記光出射手段は、光源からの光を予め定められた第１方向にコリメートする第１レンズと、コリメートされた光を前記第１方向と直交する第２方向に集光することによって、光源からの光を扇形状に成形して出射する第２レンズと、を備えた」と限定するものであり、本件補正は、特許法第１７条の２第４項第２号に規定する特許請求の範囲の減縮を目的とするものに該当するといえる。
　そこで、本件補正後の前記請求項１に記載された発明（以下、「本願補正発明」という。）が、特許出願の際独立して特許を受けることができるものであるか（特許法第１７条の２第５項において準用する同法第１２６条第５項の規定に適合するか）否かについて以下検討する。
　
（ｂ）引用例
（１）原査定の拒絶の理由に引用された特開平９−３１９５０１号公報（以下、「引用例１」という。）には、図とともに、以下のような記載がある。
（イ）「【０００１】
【発明の属する技術分野】この発明は、座標検出装置に関し、特にパーソナルコンピュータ等において、情報の入力や選択をするためにペンによって指示された座標位置を検出する座標検出装置に関する。この座標検出装置は、電子黒板や大型のディスプレイと共に一体化して利用される。」（段落【０００１】）
　　
（ロ）「【０００５】
【発明が解決しようとする課題】しかし、静電又は電磁誘導によって座標位置を検出するものでは、座標入力面に電気的なスイッチ機能を有するため製造コストが高く、また、ペンと本体とをつなぐケーブルが必要であるため操作性に難点があった。また、ビーム光をスキャンして反射光を受光したときのスキャン方向から座標位置を検出する従来の座標位置検出装置では、モータ等のビーム光をスキャンさせる機構が必要となり、位置検出の信頼性が低く、また装置全体の小型化が困難である。また、従来の発光及び受光素子を備えた装置と、この装置とは空間的に離れた位置に配置された再帰性反射シートとから構成される座標検出装置は、再帰性反射シートを動かすことによって空間的に離れた位置を指示するものであり、ある固定された平面内での座標検出をするものではない。
【０００６】この発明は、以上のような点を考慮してなされたものであり、ある固定された座標入力面内の座標位置をペンによって指示する座標検出装置において、２組以上の発光部及び受光部を有する検出装置を所定の間隔をおいて配置することによって、スキャン機構を持たずに簡単な構成で小型かつ信頼性の高い座標検出装置を提供しようとするものである。
【０００７】
【課題を解決するための手段】この発明は、再帰性反射部を有する位置指示手段と、発光手段と前記再帰性反射部を介して反射された反射光の受光角度を検出する角度検出手段とからなる発光・検出手段を２組以上備え、１つの発光・検出手段を構成する発光手段と角度検出手段が、それぞれの光軸がどちらも座標入力領域の略中央を向くように近接配置され、２組以上の発光・検出手段が、互いに座標入力領域の周辺部に所定の間隔をおいて配置されることを特徴とする座標検出装置を提供するものである。」（段落【０００５】〜【０００７】）
　　
（ハ）「【００１１】ここで、位置指示手段は、通常筆記具と同じ形状をしていることが好ましく、いわゆるペンと同様に細長い形状であればよい。以下、位置指示手段をペンと呼ぶ。また、位置指示手段が有する再帰性反射部は、入射光を反射するために鏡が取付けられていることが好ましく、さらに先端付近に設けることが好ましい。さらに、入射光をその入射光路と同じ方向に反射するために、再帰性反射部はいわゆる「コーナーキューブ」と呼ばれる互いに直交する３つの平面鏡から構成される微小な反射鏡を多数配置した構造とすることが好ましい。
【００１２】発光手段は種々のＬＥＤを用いることができるが、動作時の眩しさを防ぐ点で赤外光を利用する方が好ましく、特に赤外光（波長９００ｎｍ程度）を発光するＬＥＤが好ましい。
【００１３】また、発光手段の光の方向に対して前方であって所定の間隔だけ離れた位置に設けられる光学レンズは、いわゆる「シリンドリカルレンズ」あるいは「トロイダルレンズ」を用いることができる。これによって、発光手段から発散された光のうち座標入力領域面と垂直な方向に発散された光が座標入力領域面と平行な扇形状に集光される。
【００１４】角度検出手段に用いられる集光手段として、光学レンズを用いる場合は、座標入力面と平行な方向のみ集光すればいいので、いわゆる「シリンドリカルレンズ」を用いることが好ましい。また、集光手段としてアパーチャーを用いる場合は、反射光をスポット光にしる透過孔を１つ有したアパーチャーを用いればよい。
【００１５】角度検出手段に用いられる受光素子は、一般のフォトダイオードと同様の構造を持つＰＳＤ（Position Sensitive Light Detector)を用いることができる。ここで、ＰＳＤは、集光手段によって集光された光の方向（角度）をその受光位置によって検出するため、座標入力領域面と平行な方向に細長い形状の１次元ＰＳＤを用いることが好ましい。ところで、ＰＳＤは、光の受光位置によって異なる電気信号を発生する素子である。ＰＳＤ上の受光位置と、角度検出手段に入射してくるペンからの反射光の受光角度は１対１に対応しているため、予め「受光角度」、「ＰＳＤ上の受光位置」及びＰＳＤが発生する電気信号との対応関係を定めておけば、ＰＳＤによって直接計測される電気信号の値から、ペンからの反射光の受光角度が計算され、さらに幾何学的原理により、ペンの指示位置が求められる。
【００１６】ペンによって反射された光は、発光手段から出射された光の入射路と同じ光路を逆に通って戻ってくるので、発光手段と角度検出手段は近接して配置されるが、発光手段の発光光軸と角度検出手段の受光光軸とが、ほぼ一致するように、同一の筺体の中に一体成形されることが好ましい。ここで前記したように発光光軸と受光光軸がどちらも座標入力領域の略中央を向くように、発光手段と角度検出手段とからなる発光・検出手段を座標入力領域に対して配置してもよい。このように、発光・検出手段は、光をスキャンする機構を有することもなく、座標入力領域に対して配置されるので、簡単な構成とすることができる。」（段落【００１１】〜【００１６】）
　
（ニ）「【００１８】
【発明の実施の形態】以下、図面に示す実施の形態に基づいてこの発明を詳述する。なお、これによってこの発明が限定されるものではない。
【００１９】図１に、この発明の座標検出装置の一実施例の構成図を示す。ここでは、四角形状の平面板である座標入力面１の隣接する２つの角（ｋ１，ｋ２）に、発光検出装置２，３を固定して設置する。この２つの発光検出装置２，３から座標入力面１上に光が発射される。一方、利用者は、位置指示棒、すなわちペン５で座標入力面１上の任意の位置
を指し示す。
【００２０】このとき、発光検出装置２，３は、発光検出装置２，３から発せられた光のうちペン５で反射して発光検出装置２，３に戻ってきた光を検出して、ペン５の位置座標を算出する。発光検出装置２，３は、どちらも同じ構成を持つものを用い、発光部２−１，３−１と、受光角度検出部２−２，３−２とから構成される。ここで、発光検出装置２，３は、発光部から発光される光の発光光軸と、受光角度検出部の受光光軸とがどちらも座標入力面の基準点４の方向を向くように、座標入力面１に対して設置される。なお、発光検出装置は、前記した発光・検出手段に相当し、発光部は発光手段に、受光角度検出部は角度検出手段に相当する。
【００２２】図２に、発光検出装置２，３の一実施例の構成の概念図を示す。ここで、発光検出装置のうち発光部２−１，３−１は、光源（ＬＥＤ）６と光学レンズ７とから構成される。光学レンズ７は、像の一方向の倍率のみを変えることを特徴とするシリンドリカルレンズ、又は像の一方向の倍率のみを変え、しかも入射角度による倍率の変化が無いことを特徴とするトロイダルレンズを利用する。また、発光検出装置のうち受光角度検出部２−２，３−２は、ＰＳＤ８とシリンドリカルレンズ９とから構成される。
【００２３】ＬＥＤ６から発せられた光は、その直前に配置される光学レンズ７によって、座標入力面１と平行なビームとなるように集光される。すなわち図６に示すように、座標入力面１と垂直な方向の光を光学レンズ７によって座標入力面１と平行になるように集光し、さらに、座標入力面１と平行な扇形状のビームとなるようにする。このように、扇形状のビームに集光すれば、集光しない時に比べてより有効に光を利用できるため、位置検出の信頼性の向上が図れる。ここで、ＬＥＤ６としては、可視光線を発光するものでもよいが、赤外線（波長８９０ｎｍ）を発光するＬ２６５６（浜松ホトニクス社製）を使用するものとする。また、光学レンズ７としては、座標入力面１と垂直な方向の長さが１０mm，座標入力面１と平行で赤外光の発光光軸と垂直な方向の長さが１０mm程度の大きさで、焦点距離６mm程度のものを用いる。さらに、光学レンズの焦点位置にＬＥＤ６の発光点がくるように固定配置する。
【００２４】受光角度検出部２−２，３−２を構成するシリンドリカルレンズ９は、図２に示すように、ペン５からの反射光を、座標入力面１と平行な方向に集光するように配置される。そして集光したスポット光はＰＳＤ８に受光される。ＰＳＤ８は、図に示すように、座標入力面１と平行な方向に細長い構造とし、受光面は入射光を電気信号に変換するためのＰＮ接合面となっている。
【００２５】またＰＳＤ８は、受光面の両端には、電流を取り出すための出力端子（Ｓ1、Ｓ2）が設けられ、受光点Ｓ0と出力端子までの距離に反比例した電流（Ｉ1，Ｉ2）が、この出力端子から出力される。この電流（Ｉ1，Ｉ2）をＡ／Ｄ変換し、マイクロコンピュータによって演算することによって、受光点Ｓ0の位置が特定でき、さらにはペン５からの反射光の受光角度を計算することができる。この演算処理を行う制御回路については後述する。
【００２６】ＰＳＤ８としては、座標入力面１と平行な方向の受光面の長さが１３mm，座標入力面１と垂直な方向の長さが１mm程度のものを用いればよい。たとえば浜松ホトニクス社製のＳ３２７０を用いることができる。」（段落【００１８】〜【００２６】）
　　
（ホ）「【００３９】次に、この発明の座標検出装置におけるペンの指示位置の検出原理について説明する。ここでは、図１に示したように、２つの発光検出装置を用いた場合について説明するが、３つ以上の発光検出装置を用いても同様のペン指示位置の検出が可能である。
【００４０】まず、図１の座標入力面１上において、図８に示したペン５を用いて適当な位置（Ｘ，Ｙ）を指示したとする。このとき、発光検出装置２の発光部２−１のＬＥＤ６から出射された赤外光のうち線分ｐ１方向に出た光はペン５に当たり、その反射光は同じ線分ｐ１を逆に進み、受光角度検出部２−２のＰＳＤ８に受光される。同様に、発光検出装置３の発光部３−１のＬＥＤ６から出射された赤外光のうち線分ｐ２の方向に出た光はペン５に当たり、その反射光は同じ線分ｐ２を逆に進み、受光角度検出部３−２のＰＳＤ８に受光される。ＰＳＤ８に受光された光は、図２等で示したようにＰＳＤ８に対する入射角度によってＰＳＤの受光面上の異なる位置にスポット光を形成する。ここで、線分ｐ２は、座標入力面１の角ｋ２を２等分する線分ａ２からθ２の角度をなし、線分ｐ１は、座標入力面１の角ｋ１を２等分する線分ａ１からθ１の角度をなすものとする。
【００４１】図１０（ａ），（ｂ）に、座標入力面１と受光角度検出手段２−２を形成するシリンドリカルレンズ９及びＰＳＤ８との位置関係の具体例を示す。ここで、ＰＳＤ８の受光面は、座標入力面１の２辺と４５°の角度をなす線分ａ１と垂直とする。すなわち、シリンドリカルレンズ９の中心とＰＳＤ８の受光面の中央とを結んだ線分ａ１が受光光軸及び発光光軸と一致する。また、シリンドリカルレンズ９の中心とＰＳＤ８の受光面の中央との距離をＬとし、ＰＳＤ８の受光面の長さを２Ｌとする。
【００４２】今、ペン５からの反射光が線分ｐ１を通って、ＰＳＤ８の中央位置からＤ１の距離だけ離れた位置に受光したとする。また、ＰＳＤ８の受光面の２つの出力端子から得られる電流値をＩ1，Ｉ2とする。このとき、電流と、ＰＳＤの受光位置とは次の関係が成立する。
・・・（中略）・・・
【００４４】すなわち、反射光の受光位置Ｄ１は、ＰＳＤ８で得られる電流値Ｉ1，Ｉ2から求められるが、図７の制御回路のアンプ２１及びアナログ演算回路２２によって計算される。ところで、図１０（ｂ）により、Ｄ１／Ｌ＝ｔａｎθ１という関係が成立するから、反射光の入射角度θ１は、次式から求められる。
θ１＝ｔａｎ-1（Ｄ１／Ｌ）
【００４５】同様にして、もう一方の発光検出装置３の受光角度検出部３−２についても、ＰＳＤの中央からの受光位置までの距離をＤ２とすると、次式によって、反射光の入射角度θ２が求められる。
θ２＝ｔａｎ-1（Ｄ２／Ｌ）
【００４６】さらに、ペン５の指示位置（Ｘ，Ｙ）は、２つの反射光の入射角度θ１，θ２のなす線分ａ１，ａ２の交点となるので、次式より、θ１，θ２から指示位置（Ｘ，Ｙ）が求められる。
Ｙ＝Ｘｔａｎ（４５−θ２）
Ｙ＝（Ａ−Ｘ）ｔａｎ（４５−θ１）
ここで、Ａは、図１に示すように、座標入力面１の横方向の長さである。
【００４７】上記の連立方程式を解けば、ペン５によって指示された座標入力面１上の位置座標Ｘ，Ｙが求められる。なお、（θ１，θ２）及び（Ｘ，Ｙ）は、定式化されているので、ＲＯＭにこれらの数式をプログラム化して組み込めば、ＭＰＵ２７の演算によって容易に求めることができる。また、演算結果である（Ｘ，Ｙ）の座標値は、インタフェースドライバ２９を介してパソコン等へ転送され、ペンによる指示位置の表示や、指示位置に対応するコマンド入力などの処理に利用できる。」（段落【００３９】〜【００４７】、段落【００４３】の式は省略している。）　
　
　以上の記載によれば、この引用例１には以下のような発明（以下、「引用例１発明」という。）が開示されていると認められる。
　
「座標入力面と平行なビームを出射する少なくとも２組の発光検出装置２、３の発光部２−１、２−２と、
　前記座標入力面の任意の位置を指し示す位置指示手段に設けられ、発光検出装置２、３から発せられた光を反射する再帰性反射部と、
　前記再帰性反射部で反射された光を受光し、受光点Ｓ0と出力端子までの距離に反比例した電流（Ｉ1，Ｉ2）を出力する発光検出装置２、３の受光角度検出部３−１、３−２に設けられた座標入力面と平行な方向に細長い構造のＰＳＤと、
　前記ＰＳＤから出力される電流（Ｉ1，Ｉ2）から、ＰＳＤ中央位置からの受光点Ｓ0の位置（距離）を求めことにより、反射光の入射角度を求め、当該入射角度から前記位置指示手段によって指示された座標入力面上の位置座標Ｘ，Ｙを演算する制御回路、を備え、
　前記発光検出装置２、３の発光部２−１、２−２は、ＬＥＤ６から発せられた光を座標入力面と垂直な方向の光を光学レンズ７によって座標入力面と平行になるように集光し、さらに、座標入力面と平行な扇形状のビームとなるようにすることを特徴とする座標検出装置。」　
　
（２）原査定の拒絶の理由に引用された特開平９−９１０９４号公報（以下、「引用例２」という。）には、図とともに、以下のような記載がある。
（イ）「【０００９】
【課題を解決するための手段】この発明は、その目的を達成するため、タッチパネルが触れられた位置を示す座標を検出するタッチパネルの座標検出装置において、タッチパネルの異なる位置に設置され、タッチパネルにほぼ平行に、かつ、設置位置を中心に光束を回転して射出する２つの光源部と、タッチパネルに設置され、光源部からの光束を、この光源部に向けて反射する反射部と、光源部の設置位置にそれぞれ設置され、反射部からの反射光を受光し、反射光が遮られたとき、設置位置間を結ぶ直線部分に対する、射出される光束の角度を検出する２つの検出部と、直線部分の長さと、２つの検出部が検出したそれぞれの角度とから、光束の遮光点の座標を算出する演算部とを備える。
【００１０】この発明は、次のようにして、タッチパネルが触れられた位置を示す座標を検出する。
【００１１】２つの光源部がタッチパネルにほぼ平行に、光束を射出する。このとき、各光源部は、設置位置を中心にして、光束を回転しながら射出する。反射部は、光源部からの光束を、この光源部に向けて反射する。つまり、反射部は、光源部からの光束を、この光源部に向けて折り返す。各検出部は、反射部からの反射光を受光する。
【００１２】この状態のとき、タッチパネルが触れられると、各光源部からの光束が接触点で遮られる。反射光が遮られたとき、各検出部は、設置位置の間を結ぶ直線部分に対する、射出された光束の角度を検出する。演算部は、直線部分の長さと、検出部が検出したそれぞれの角度とから、光束の遮光点の座標を算出する。
【００１３】これにより、タッチパネルの大型化をしても、光源部と検出部の設置位置の変更と、反射部の長さの変更とにより、タッチパネルの接触点の座標を検出することができる。」（段落【０００９】〜【００１３】）
　
（ロ）「【００２２】ライトスキャナ３，４は、図３に示すように、タッチパネル１の隅に設置されている。この設置に際して、ライトスキャナ３，４の各軸１５Ｃが、タッチパネル１の隅にそれぞれ位置するように、ライトスキャナ３，４は、タッチパネル１にそれぞれ設置される。また、ライトスキャナ３，４が挟む、タッチパネル１の長辺１Ａの長さをＬとする。つまり、ライトスキャナ３の軸１５Ｃから、ライトスキャナ４の軸１５Ｃまでの長さがＬである。
【００２３】さらに、ライトスキャナ３，４の設置に際して、ライトスキャナ３，４からの光束１０１Ａ，１０２Ａが、タッチパネル１に対して平行になるように、ライトスキャナ３，４がタッチパネル１に設置されている。
【００２４】ライトスキャナ３，４は、図４に示すように、カウンタ１６をそれぞれ備える。各カウンタ１６は、ロータリーエンコーダ１３からのパルス信号ａと、受光器１２からの受光信号ｂとに基づいて、検出信号ｃ１，ｃ２を発生する。つまり、ライトスキャナ３のカウンタ１６は、図５に示すように、遮光物３０１によりライトスキャナ３からの光束１０１Ａが遮られたとき、タッチパネル１の長辺１Ａに対する光束１０１Ａの角度θ１を示す検出信号ｃ１を発生する。同様にして、ライトスキャナ４のカウンタ１６は、長辺１Ａに対する光束１０２Ａの角度θ２を示す検出信号ｃ２を発生する。」（段落【００２２】〜【００２４】）
　
（ハ）「【００２５】コーナキューブアレイ２Ａ〜２Ｃは、タッチパネル１の長辺１Ａを除く、他の３辺に設置されている。コーナキューブアレイ２Ａは、図７に示すように、タッチパネル１側に複数のコーナキューブ２１を配列したものである。
【００２６】コーナキューブ２１は、図８（Ａ）に示すように、円錐形状をしている。コーナキューブ２１の内面２１Ａが、反射面となっている。コーナキューブ２１の頂点２１Ｃを含む断面は、図８（Ｂ）に示すような形状であり、この断面の頂角（頂点２１Ｃを含む角度）は、９０度である。これにより、コーナキューブ２１の開口２１Ｂに垂直に入射した光束１１１や、図８（Ｃ）に示すように、開口２１Ｂに斜めに入射した光束１１２は、入射した方向に反射する。つまり、コーナキューブ２１は、入射した光束を折り返す。
【００２７】このコーナキューブ２１の代わりに、図９に示すコーナキューブ２２を設置してもよい。コーナキューブ２２は、四角錐形状をしている。そして、側面２２Ａと側面２２Ｂとの角度、側面２２Ｃと側面２２Ｄとの角度が９０度になっている。側面２２Ａ〜２２Ｄの内面が、光束を反射する反射面となっている。このコーナキューブ２２は、コーナキューブ２１と同様に、開口２２Ｅに入射した光束を折り返す。
【００２８】コーナキューブアレイ２Ｂ，２Ｃは、コーナキューブアレイ２Ａと同様に、タッチパネル１側に多数のコーナキューブ２１を配列した構造である。
【００２９】演算回路５は、ライトスキャナ３のカウンタ１６からの検出信号ｃ１と、ライトスキャナ４のカウンタ１６からの検出信号ｃ２とから、遮光物３０１の座標を演算する。」（段落【００２５】〜【００２９】）
　
（ニ）「【００３４】ライトスキャナ３が、図１０（ａ）に示すように、矢印２０１の方向に回転すると、発光器１１から射出される光束１０１Ａが、同様に矢印２０１に回転する。この回転で、光束１０１Ａが、０〜π／２の間にあると、受光信号ｂは、「Ｈ」レベルとなる。これは、コーナキューブアレイ２Ｂ，２Ｃにより、光束１０１Ａが反射されるからである。また、光束１０１Ａの回転角度が、π／２〜π〜３π／２〜２πの間にあると、光束１０１Ａが反射されないので、受光信号ｂは、「Ｌ」レベルになる。このために、受光信号ｂは、図１０（ｂ）に示すようになる。
【００３５】ライトスキャナ３のカウンタ１６は、光束１０１ＡがＸ軸上にあるときを起点として、ロータリーエンコーダ１３からのパルス信号ａのパルスの数を数える。したがって、カウンタ１６が数えたパルスの数が、光束１０１Ａの角度に対応する。
【００３６】使用者がタッチパネル１に指などで触れると、この指が遮光物３０１となり、光束１０１Ａが遮られる。このために、受光器１２が光束１０１Ｂを受光しないので、受光信号ｂが遮光物３０１の部分で「Ｌ」レベルになる。受光信号ｂが「Ｌ」レベルになると、カウンタ１６がロータリーエンコーダ１３からのパルス信号ａの計数を止めて、これまでに数えたパルスの数を検出信号ｃ１として演算回路５に送る。
【００３７】ライトスキャナ４も、ライトスキャナ３と同じように、検出信号ｃ２を演算回５に送る。なお、このとき、ライトスキャナ４の回転方向は、ライトスキャナ３とは逆になる。つまり、ライトスキャナ４のカウンタ１６は、光束１０２ＡがＸ軸上にあるときを起点として、ロータリーエンコーダ１３からのパルス信号ａのパルスの数を数える。
【００３８】演算回路５は、検出信号ｃ１，ｃ２を受け取ると、検出信号ｃ１，ｃ２が示すパルス数から、光束１０１Ａが遮られたときの角度θ１と、光束１０２Ａが遮られたときの角度θ２とを求める。そして、演算回路５は、式（３），（４）を用いて、遮光物３０１の座標（ｘp，ｙp）を算出する。
【００３９】インターフェース回路６は、演算回路５が算出した遮光物３０１の座標を、マウスインターフェースを経由してコンピュータ（図示を省略）に送る。」（段落【００２５】〜【００３９】）
　
（ｃ）対　比
　本願補正発明と引用例１発明とを対比する。
　引用例１発明の「座標入力面上」及び「ビーム」は、本願補正発明の「所定の範囲の入力領域」及び「進行する光」に相当し、引用例１発明の「座標入力面と平行なビームを出射する少なくとも２組の発光検出装置２、３の発光部２−１、２−２」は、本願補正発明の「所定の範囲の入力領域を進行する光を出射する少なくとも二つの光出射手段」に相当する。
　引用例１発明の「前記座標入力面の任意の位置を指し示す位置指示手段に設けられ、発光検出装置２、３から発せられた光を反射する再帰性反射部（コーナーキューブ）」は、本願補正発明の「前記入力領域の周縁部における所定の位置に設けられ、各光出射手段から出射された光を反射する反射する反射手段」と「前記入力領域において、各光出射手段から出射された光を反射する反射手段」である点で共通するといえる。
　引用例１発明の「受光角度検出部３−１、３−２に設けられた座標入力面と平行な方向に細長い構造のＰＳＤ」は、受光点Ｓ0と出力端子までの距離に反比例した電流（Ｉ1，Ｉ2）を出力し、電流（Ｉ1，Ｉ2）から、ＰＳＤ中央位置からの受光点Ｓ0の位置（距離）を求めているから、本願補正発明の「前記反射手段で反射された光を受光し、受光した光の強度分布を検出する少なくとも二つの強度分布検出手段」に相当するといえる。
　引用例１発明の「ＰＳＤから出力される電流（Ｉ1，Ｉ2）から、ＰＳＤ中央位置からの受光点Ｓ0の位置（距離）を求めることにより、反射光の入射角度を求め、当該入射角度から前記位置指示手段によって指示された座標入力面上の位置座標Ｘ，Ｙを演算する制御回路」は、本願補正発明の「各強度分布検出手段で検出された強度分布を利用して、前記入力領域を進行する光を遮る遮光位置の座標を特定する座標特定手段」と「各強度分布検出手段で検出された強度分布を利用して、前記入力領域を進行する光の特定位置の座標を特定する座標特定手段」である点で共通するといえる。
　引用例１発明の発光検出装置２、３の発光部２−１、２−２は、「ＬＥＤ６から発せられた光を座標入力面と垂直な方向の光を光学レンズ７によって座標入力面と平行になるように集光し、さらに、座標入力面と平行な扇形状のビームとなるようにする」から、本願補正発明の「前記光出射手段は、光源からの光を予め定められた第１方向にコリメートする第１レンズと、コリメートされた光を前記第１方向と直交する第２方向に集光することによって、光源からの光を扇形状に成形して出射する第２レンズと、を備えた」と「光源からの光を予め定められた方向にコリメートし、集光することによって、光源からの光を扇形状に成形して出射するレンズを備えた」点で共通するといえる。
　引用例１発明の「座標検出装置」は、本願補正発明の「座標入力／検出装置」に相当するといえる。
　
　そうすると、両者は、
「所定の範囲の入力領域を進行する光を出射する少なくとも二つの光出射手段と、
　前記入力領域において、各光出射手段から出射された光を反射する反射手段と、
　前記反射手段で反射された光を受光し、受光した光の強度分布を検出する少なくとも二つの強度分布検出手段と、
　各強度分布検出手段で検出された強度分布を利用して、前記入力領域を進行する光の特定位置の座標を特定する座標特定手段と、を備え、
　前記光出射手段は、
　光源からの光を予め定められた方向にコリメートし、集光することによって、光源からの光を扇形状に成形して出射するレンズを備えたこと、
を特徴とする座標入力／検出装置。」
で一致するものであり、次の（１）〜（３）の点で相違している。
　
（１）反射手段が、本願補正発明は、「前記入力領域の周縁部における所定の位置」に設けられているのに対し、引用例１発明は、「前記座標入力面の任意の位置を指し示す位置指示手段」に設けられている点。
　
（２）座標特定手段が、本願補正発明は、「前記入力領域を進行する光を遮る遮光位置の座標」を特定するのに対し、引用例１発明は、「位置指示手段によって指示された座標入力面上の位置座標」を演算する点。
　
（３）光出射手段が、本願補正発明は、「光源からの光を予め定められた第１方向にコリメートする第１レンズと、コリメートされた光を前記第１方向と直交する第２方向に集光することによって、光源からの光を扇形状に成形して出射する第２レンズと、を備えた」のに対し、引用例１発明は、「ＬＥＤ６から発せられた光を座標入力面と垂直な方向の光を光学レンズ７によって座標入力面と平行になるように集光し、さらに、座標入力面と平行な扇形状のビームとなるようにする」点。　
　
（ｄ）当審の判断
　上記相違点について検討する。
・相違点（１）、（２）について
　引用例２には、タッチパネルの異なる隅の位置に設置され、タッチパネルにほぼ平行に、かつ、設置位置を中心に光束を回転して射出する２つの光源部と、タッチパネルの３辺に設置され、前記光源部からの光束を、この光源部に向けて反射する反射部と、光源部の設置位置にそれぞれ設置され、反射部からの反射光を受光し、反射光が遮られたとき、設置位置間を結ぶ直線部分に対する、射出される光束の角度を検出する２つの検出部と、直線部分の長さと、２つの検出部が検出したそれぞれの角度とから、光束の遮光点の座標を算出する演算部を備える座標検出装置が記載されている。
　したがって、引用例１発明において、引用例２に記載された技術を適用することにより、反射手段を前記入力領域の周縁部における所定の位置に設け、座標特定手段を、前記入力領域を進行する光を遮る遮光位置の座標を特定するようにすることは、当業者が容易になし得ることである。
　
・相違点（３）について
　光源からの光を予め定められた第１方向にコリメートする第１レンズと、コリメートされた光を前記第１方向と直交する第２方向に集光することによって、光源からの光を扇形状に成形して出射する第２レンズを用いる光学系は、本願優先日前周知の技術（特開昭６２−９２６３２号公報第２頁右下欄第９行〜第１３行、第３図の記載、特開昭５９−１４７２０６号公報第３頁左下欄第２０行〜右下欄第２行、第１０図の記載、特開平５−１１３４８１号公報段落【００２５】、図５の記載参照）である。
　したがって、引用例１発明において、光出射手段が、光源からの光を予め定められた第１方向にコリメートする第１レンズと、コリメートされた光を前記第１方向と直交する第２方向に集光することによって、光源からの光を扇形状に成形して出射する第２レンズと、を備えた構成にすることは、当業者が適宜なし得る設計事項にすぎない。
　
　そして、本願補正発明により奏される効果は当業者であれば引用例１発明、引用例２に記載された技術及び周知技術から予想できる範囲内のものである。
　
（ｅ）結論
　そうすると、本願補正発明は、引用例１発明、引用例２に記載された技術及び周知技術に基づいて当業者が容易に発明をすることができたものであるから、特許法第２９条第２項の規定により、特許出願の際独立して特許を受けることができないものである。
　したがって、本件補正は、平成１８年法律第５５号改正附則第３条第１項によりなお従前の例とされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明
　上記のとおり、上記本件補正は却下されたので、本願請求項１に係る発明（以下、「本願発明」という。）は、平成１９年１０月２９日に提出された手続補正書における特許請求の範囲の請求項１に記載された事項により特定される、以下のとおりのものである。
　
「所定の範囲の入力領域を進行する光を出射する少なくとも二つの光出射手段と、
　前記入力領域の周縁部における所定の位置に設けられ、各光出射手段から出射された光を反射する反射手段と、
　前記反射手段で反射された光を受光し、受光した光の強度分布を検出する少なくとも二つの強度分布検出手段と、
　各強度分布検出手段で検出された強度分布を利用して、前記入力領域を進行する光を遮る遮光位置の座標を特定する座標特定手段と、を備え、
　前記光出射手段は、光源からの光を扇形状に成形して出射すること、
を特徴とする座標入力／検出装置。」
　
４．引用例
　原査定の拒絶理由に引用された引用例、及びその記載事項は、前記「２．（２）（ｂ）」に記載したとおりである。
　
５．対比
　本願発明は、前記「２．」で検討した本願補正発明の「前記光出射手段は、光源からの光を予め定められた第１方向にコリメートする第１レンズと、コリメートされた光を前記第１方向と直交する第２方向に集光することによって、光源からの光を扇形状に成形して出射する第２レンズと、を備えた」から限定を省き「前記光出射手段は、光源からの光を扇形状に成形して出射すること」としたものである。
　そうすると、本願発明の構成要件を全て含み、さらに限定したものに相当する本願補正発明が前記「２．」に記載したとおり、引用例１発明、引用例２に記載された技術及び周知技術に基づいて、当業者が容易に発明をすることができたものであるから、本願発明も同様の理由により、引用例１発明、引用例２に記載された技術及び周知技術に基づいて、当業者が容易に発明をすることができたものである。
　
６．むすび
　以上のとおり、本願発明は、引用例１発明、引用例２に記載された技術及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。